(57)【特許請求の範囲】
【請求項１】
上下方向に離間して平行配置される上翼板（５１）及び下翼板（５２）と、
前記上翼板（５１）及び前記下翼板（５２）を連結する案内柱（５３）と、
前記上翼板（５１）の上面に設けられる引手取付部（５８Ｆ，５８Ｒ，７０，８０）と、を有する胴体（５０）と、
前記引手取付部に対して取り付けられる引手（６０）と、
を備え、
前記上翼板（５１）における前記案内柱（５３）に対して左右一方側の前端部には、前記上翼板（５１）の左右他方側の前端部（５１ａ）よりも後方に位置する切欠部（５１ｂ）が形成され、前記切欠部（５１ｂ）は、前記案内柱（５３）の左右一方側の前部側面（５３ａ）から外側に向かって延びるように形成されることにより、前記切欠部（５１ｂ）は、前記下翼板（５２）の前記案内柱（５３）に対して左右一方側の前端部（５２ａ）よりも後方に位置する
ことを特徴とするスライダー（４０）。
【請求項２】
前記案内柱（５３）の前端部（５３ｃ）から前記上翼板（５１）の前記切欠部（５１ｂ）までの距離（Ｔ１）は、前記案内柱（５３）の前記前端部（５３ｃ）から前記下翼板（５２）の前記前端部（５２ａ）までの距離（Ｔ２）よりも長い
ことを特徴とする請求項１に記載のスライダー（４０）。
【請求項３】
前記案内柱（５３）の前記前端部（５３ｃ）から前記下翼板（５２）の前記前端部（５２ａ）までの距離（Ｔ２）は、０である
ことを特徴とする請求項２に記載のスライダー（４０）。
【請求項４】
前記切欠部（５１ｂ）は、前記案内柱（５３）の一方の側面（５３ａ）から外側に向かって形成される
ことを特徴とする請求項１乃至３のいずれか１つに記載のスライダー（４０）。
【請求項５】
前記切欠部（５１ｂ）が形成された側の前記下翼板（５２）の上面には、前記前端部（５２ａ）から後方に向かうほど上方に傾斜した傾斜部（５２ｈ）が形成される
ことを特徴とする請求項１乃至４のいずれか１つに記載のスライダー（４０）。
【請求項６】
前記切欠部（５１ｂ）が形成された側の前記下翼板（５２）の前記前端部（５２ａ）側の上面には、
前記案内柱（５３）側に向かうほど上方に傾斜した導入内側部（５２ｃ）と、
外側に向かうほど上方に傾斜した導入外側部（５２ｄ）と、
前記導入内側部（５２ｃ）と前記導入外側部（５２ｄ）の間に凹状に形成されている導入中央部（５２ｂ）と、
が形成される
ことを特徴とする請求項１乃至５のいずれか１つに記載のスライダー（４０）。
【請求項７】
前記下翼板（５２）は、左右方向のうち前記上翼板（５１）に前記切欠部（５１ｂ）が形成されている側の厚さが、左右方向のうち前記上翼板（５１）に前記切欠部（５１ｂ）が形成されない側の厚さよりも薄く形成される
ことを特徴とする請求項１乃至６のいずれか１つに記載のスライダー（４０）。
【請求項８】
一対のファスナーテープ（２０）及び前記一対のファスナーテープ（２０）のそれぞれのテープ側縁部（２０ａ）に固定された複数のエレメント（３１）からなるエレメント列（３０）を有する一対のファスナーストリンガー（１１Ｌ，１１Ｒ）を、前記エレメント列（３０）が対向するように配置したファスナーチェーン（１１）と、
前記エレメント列（３０）に沿って摺動可能に取り付けられ、前記エレメント（３１）を噛合及び分離させる請求項１乃至７のいずれか１つに記載のスライダー（４０）と、
を備える
ことを特徴とするスライドファスナー（１０）。
【請求項９】
前記一対のファスナーテープ（２０）の前記テープ側縁部（２０ａ）の上端部にそれぞれ形成される上止部（１２）と、
前記一対のファスナーテープ（２０）の前記テープ側縁部（２０ａ）の下端部に形成される開き具（１３）と、
を備える
ことを特徴とする請求項８に記載のスライドファスナー（１０）。
【発明の詳細な説明】
【技術分野】
【０００１】  本発明は、スライダー及びスライドファスナーに関し、特には、蝶棒及びエレメントを簡単に挿入できるスライダー及びスライドファスナーに関する。
【背景技術】
【０００２】  従来のスライドファスナーとしては、スライダーに蝶棒を簡単に挿入できるようにするために、連結柱と下翼を延長させる技術が開示されている（例えば、特許文献１参照）
【先行技術文献】
【特許文献】
【０００３】
【特許文献１】日本国特許公開２００９−２７３８５２号
【発明の概要】
【発明が解決しようとする課題】
【０００４】  しかしながら、上記特許文献１に記載のスライダーは、連結柱と下翼を延長させるために大型化してしまい、操作性が悪かった。【０００５】  本発明は、上述した事情に鑑みてなされたものであり、その目的は、小型で簡素な構造で操作性が良く、スライダーに蝶棒及びエレメントを簡単に挿入することが可能なスライダー及びスライドファスナーを提供することにある。
【課題を解決するための手段】
【０００６】
本発明の一実施形態にかかるスライダーは、
上下方向に離間して平行配置される上翼板及び下翼板と、
前記上翼板及び前記下翼板を連結する案内柱と、
前記上翼板の上面に設けられる引手取付部と、を有する胴体と、
前記引手取付部に対して取り付けられる引手と、
を備え、
前記上翼板における前記案内柱に対して左右一方側の前端部には、前記上翼板の左右他方側の前端部よりも後方に位置する切欠部が形成され、前記切欠部は、前記案内柱の左右一方側の前部側面から外側に向かって延びるように形成されることにより、前記切欠部は、前記下翼板の前記案内柱に対して左右一方側の前端部よりも後方に位置する
ことを特徴とする。
【０００７】  本発明の一実施形態にかかるスライダーでは、  前記案内柱の前端部から前記上翼板の前記切欠部までの距離は、前記案内柱の前記前端部から前記下翼板の前記前端部までの距離よりも長いことを特徴とする。【０００８】  本発明の一実施形態にかかるスライダーでは、  前記案内柱の前記前端部から前記下翼板の前記前端部までの距離は、０であることを特徴とする。【０００９】  本発明の一実施形態にかかるスライダーでは、  前記切欠部は、前記案内柱の一方の側面から外側に向かって形成されることを特徴とする。【００１０】  本発明の一実施形態にかかるスライダーは、  前記切欠部が形成された側の前記下翼板の上面には、前記前端部から後方に向かうほど上方に傾斜した傾斜部が形成されることを特徴とする。【００１１】  本発明の一実施形態にかかるスライダーは、  前記切欠部が形成された側の前記下翼板の前記前端部側の上面には、    前記案内柱側に向かうほど上方に傾斜した導入内側部と、    外側に向かうほど上方に傾斜した導入外側部と、    前記導入内側部と前記導入外側部の間に凹状に形成されている導入中央部と、が形成されることを特徴とする。【００１２】  本発明の一実施形態にかかるスライダーでは、  前記下翼板は、左右方向のうち前記上翼板に前記切欠部が形成されている側の厚さが、左右方向のうち前記上翼板に前記切欠部が形成されない側の厚さよりも薄く形成されることを特徴とする。【００１３】  本発明の一実施形態にかかるスライドファスナー  一対のファスナーテープ及び前記一対のファスナーテープのそれぞれのテープ側縁部に固定された複数のエレメントからなるエレメント列を有する一対のファスナーストリンガーを、前記エレメント列が対向するように配置したファスナーチェーンと、  前記エレメント列に沿って摺動可能に取り付けられ、前記エレメントを噛合及び分離させる前記スライダーと、を備えることを特徴とする。【００１４】  本発明の一実施形態にかかるスライドファスナーは、  前記一対のファスナーテープの前記テープ側縁部の上端部にそれぞれ形成される上止部と、  前記一対のファスナーテープの前記テープ側縁部の下端部に形成される開き具と、を備えることを特徴とする。
【発明の効果】
【００１５】  本発明の一実施形態にかかるスライダー及びスライドファスナーによれば、案内柱に対して左右一方側の上翼板には、上翼板の左右他方側の前端部及び下翼板の前端部よりも後方に位置する切欠部が形成されるため、蝶棒及びエレメントの挿入位置を見やすくすることができ、且つ、下翼板が蝶棒及びエレメントを案内することができる。これにより、本発明の一実施形態にかかるスライダー及びスライドファスナーは、小型で簡素な構造で操作性が良く、スライダーに蝶棒及びエレメントを簡単に挿入することが可能となる。
【図面の簡単な説明】
【００１６】
【図１】本実施形態にかかるスライドファスナーを示す。
【図２】本実施形態にかかるスライダーの斜視図を示す。
【図３】本実施形態にかかるスライダーの平面図を示す。
【図４】本実施形態にかかるスライダーを後口側から見た後面図を示す。
【図５】図３におけるV−V線断面図を示す。
【図６】図３におけるVI−VI線断面図を示す。
【図７】図３におけるVII−VII線断面図を示す。
【図８】本実施形態にかかるスライダーの上翼板を切り欠いた状態のスライドファスナーの拡大表面図を示す。
【図９】他の実施形態にかかるスライダーの平面図を示す。
【図１０】図９におけるX−X線断面図を示す。
【図１１】本実施形態にかかるスライダーに蝶棒が挿入される状態を示す。
【図１２】本実施形態にかかるスライダーにエレメントが挿入される状態を示す。
【図１３】図８に示すスライドファスナーに横引き力が加わった状態を説明する拡大表面図を示す。
【図１４】図１３に示す分離側ファスナーストリンガーのエレメントがスライダーから抜け出し始めた状態を説明する拡大表面図を示す。
【図１５】図１４に示すエレメントがスライダーから更に抜け出した状態を説明する拡大表面図を示す。
【図１６】図１５に示すエレメントがスライダーから完全に抜け出した状態を説明する拡大表面図を示す。
【図１７】分離側ファスナーストリンガーのエレメントとスライダーのフランジとが接した状態を説明する部分断面図を示す。
【図１８】分離側ファスナーストリンガーのエレメントがスライダーのフランジを押し広げている状態を説明する部分断面図を示す。
【図１９】図１４に示すエレメントが上翼板及び下翼板を撓ませてスライダーから抜け出す状態を説明する部分断面図を示す。
【発明を実施するための形態】
【００１７】  以下、図面に基づき本発明にかかる一実施形態のスライダー４０及びスライドファスナー１０を具体的に説明する。
【００１８】  図１は、本実施形態にかかるスライドファスナーを示す。図２は、本実施形態にかかるスライダーの斜視図を示す。図３は、本実施形態にかかるスライダーの平面図を示す。図４は、本実施形態にかかるスライダーを後口側から見た後面図を示す。図５は、図３におけるV−V線断面図を示す。図６は、図３におけるVI−VI線断面図を示す。図７は、図３におけるVII−VII線断面図を示す。図８は、本実施形態にかかるスライダーの上翼板を切り欠いた状態のスライドファスナーの拡大表面図を示す。図９は、他の実施形態にかかるスライダーの平面図を示す。図１０は、図９におけるX−X線断面図を示す。
【００１９】  なお、本実施形態のスライドファスナー１０において、ファスナーテープ２の長さ方向を前後方向（Ｆ−Ｂ方向）とし、矢印Ｆ（前方向），Ｂ（後方向）で示す。また、ファスナーテープ２の幅方向を左右方向（Ｌ−Ｒ方向）とし、矢印Ｌ（左方向），Ｒ（右方向）で示す。さらに、ファスナーテープ２の表裏方向を上下方向（Ｕ−Ｄ方向）とし、矢印Ｕ（上方向），Ｄ（下方向）で示す。また、スライダー４０単体の方向については、スライダー４０がスライドファスナー１０に取り付けられた際のスライドファスナー１０の方向に準ずるものとする。
【００２０】  すなわち、上側とは図１の紙面に対して手前側、下側とは図１の紙面に対して奥側、前側とは図１の紙面に対して上側、後側とは図１の紙面に対して下側、左側とは図１の紙面に対して左側、右側とは図１の紙面に対して右側とする。
【００２１】  また、ファスナーテープ２の左右方向は幅方向とも言う。また、ファスナーテープ２の上下方向は長さ方向とも言う。
【００２２】  本実施形態のスライドファスナー１０は、図１及び図８に示すように、一対のファスナーテープ２０及び一対のファスナーテープ２０のそれぞれの縁部２０ａに所定のピッチ毎に固定された複数のエレメント３１からなるエレメント列３０を有する一対のファスナーストリンガー１１Ｌ，１１Ｒを、各エレメント列３０が対向するように配置したファスナーチェーン１１と、ファスナーエレメント列３０に沿って摺動可能に取り付けられ、ファスナーエレメント３１を噛合及び分離させるスライダー４０と、左右一対のファスナーテープ２０のテープ側縁部２０ａの上端部にそれぞれ形成される上止部１２と、左右一対のファスナーテープ２０のテープ側縁部２０ａの下端部に形成される開き具１３と、を備える。
【００２３】  開き具１３は、右側のファスナーテープ２０のテープ側縁部２０ａの下端部に形成される箱棒１４及び箱体１５と、左側のファスナーテープ２０のテープ側縁部２０ａの下端部に形成され、箱体１５に挿入可能な蝶棒１６と、を備える。また、本実施形態では、蝶棒１６が設けられる左側のファスナーストリンガー１１Ｌがスライダー４０から分離可能な分離側ファスナーストリンガーであり、箱棒１４及び箱体１５が設けられる右側のファスナーストリンガー１１Ｒがスライダー４０から分離不能な固定側ファスナーストリンガーである。なお、箱棒１４及び箱体１５と蝶棒１６の左右は、反対に配置されてもよい。
【００２４】  ファスナーエレメント列３０は、複数のファスナーエレメント３１から構成されており、このファスナーエレメント３１は、例えば、ポリアミド、ポリアセタール、ポリプロピレン、ポリブチレンテレフタレートなどの合成樹脂を用いて、ファスナーテープ２０のテープ側縁部２０ａに射出成形されている。
【００２５】  スライダー４０は、図２〜図８に示すように、自動停止機能付きのスライダーであり、胴体５０、引手６０、停止爪体７０、及び引手保持カバー８０を備えている。
【００２６】  胴体５０は、上下方向に離間して平行配置される上翼板５１及び下翼板５２と、上翼板５１及び下翼板５２を前端部且つ導入中央部において連結する案内柱５３と、上翼板５１の左右両側縁に沿って下方に向けて突設される上側フランジ５４ａと、下翼板５２の左右両側縁に沿って上方に向けて突設される下側フランジ５４ｂと、を備える。これにより、胴体５０の前部には案内柱５３により分離された左右の肩口５５が形成され、胴体５０の後部には後口５６が形成される。そして、上翼板５１と下翼板５２との間には、左右の肩口５５と後口５６とを連通する略Ｙ字状のエレメント案内路５７が形成され、このエレメント案内路５７は、左右一対のファスナーエレメント列３０を挿通させる通路を構成する。
【００２７】  また、図４に示すように、胴体５０の左側の上側及び下側フランジ５４ａ，５４ｂ間の間隙の上下方向寸法Ｓ１は、右側の上側及び下側フランジ５４ａ，５４ｂ間の間隙の上下方向寸法Ｓ２より大きく設定されている。これにより、左右一対のファスナーストリンガー１１Ｌ，１１Ｒに横引き力が加わった際に、左側のファスナーストリンガー１１Ｌがスライダー４０から分離することが可能となる。
【００２８】  また、図５に示すように、上翼板５１の上面の案内柱５３より右側（固定側ファスナーストリンガー１１Ｒ側）には、引手保持カバー８０を取り付けるための前部取付柱５８Ｆ及び後部取付柱５８Ｂが前後方向に並んで立設されている。より詳しく言えば、図８に示すように、案内柱５３は左側の側面（前部側面５３ａ及び後部側面５３ｂ）と右側の側面とを有し、前部取付柱５８Ｆ及び後部取付柱５８Ｂは、上翼板５１の上面の案内柱５３の左側の側面よりも右側に立設される。そして、前部取付柱５８Ｆと後部取付柱５８Ｂとの間には、引手６０のリンク部６１及び停止爪体７０が収容され、前部取付柱５８Ｆ及び後部取付柱５８Ｂには、引手保持カバー８０が被せられると共にかしめにより固定されている。また、上翼板５１には、停止爪体７０の停止爪７１を挿入させるための爪挿入穴５１ｃが形成されている。なお、本実施形態では、前部取付柱５８Ｆ、後部取付柱５８Ｂ、停止爪体７０、及び引手保持カバー８０により引手取付部が構成される。
【００２９】  また、上記したように、前部取付柱５８Ｆ及び後部取付柱５８Ｒが上翼板５１の案内柱５３より右側に形成されているので、案内柱５３より左側の上翼板５１の剛性が僅かに低減され、撓み易くなっている。左側の上翼板５１撓むことで、分離側ファスナーストリンガー１１Ｌをスライダー４０から分離させることが可能となる。
【００３０】  さらに、前部取付柱５８Ｆ及び後部取付柱５８Ｂと共に停止爪体７０も上翼板５１の案内柱５３より右側に配置されているので、図８に示すように、停止爪体７０の停止爪７１が固定側ファスナーストリンガー１１Ｒ側のファスナーエレメント３１間に挿入される。これにより、停止爪７１と分離側ファスナーストリンガー１１Ｌ側のファスナーエレメント３１とが接触することがないので、分離側ファスナーストリンガー１１Ｌをスライダー４０から分離させることが可能となる。
【００３１】  ただし、本実施形態では、自動停止機能付きのスライダー４０を例示したが、これに限定されず、前部取付柱５８Ｆ及び後部取付柱５８Ｂの部分に引手６０を取り付けるための引手取付柱を代わりに立設した自動停止機能の付いていないスライダー４０でもよい。
【００３２】  また、図２及び図３に示すように、上翼板５１には、案内柱５３の左側の前部側面５３ａから外側（分離側ファスナーストリンガー１１Ｌ側）に向かって延びる切欠部５１ｂが形成されている。また、切欠部５１ｂは、案内柱５３の左側の前部側面５３ａから外側に向かって、後側へ下り傾斜するように形成されている。より詳しく言えば、図８に示すように、案内柱５３は前端部５３ｃ、後端部５３ｄ、左側の側面（前部側面５３ａ及び後部側面５３ｂ）、右側の側面を有し、切欠部５１ｂは案内柱５３の前端部５３ｃと後端部５３ｄの間において、案内柱５３の左側の側面より外側に延びるように形成される。従って、図７及び図１０に示すように、案内柱５３の左側の上翼板５１の切欠部５１ｂは、下翼板５２の前端部５２ａよりも後方に位置する。また、案内柱５３の左側の上翼板５１の切欠部５１ｂは、案内柱５３の右側の上翼板５１の前端部５１ａよりも後方に位置する。そして、案内柱５３の前端部５３ｃから上翼板５１の切欠部５１ｂまでの距離Ｔ１は、案内柱５３の前端部５３ｃから下翼板５２の前端部５２ａまでの距離Ｔ２よりも長い。なお、本実施形態のスライダー４０においては、案内柱５３の前端部５３ｃから上翼板５１の切欠部５１ｂまでの距離Ｔ１は、案内柱５３の前端部５３ｃからスライダー４０の後端までの距離の１／４〜１／３程度である。
【００３３】  このような構成により、本実施形態のスライダー４０及びスライドファスナー１０によれば、案内柱より幅方向一方側の上翼板及び下翼板を撓み易くすることができ、且つ蝶棒の挿入位置を見やすくすることができる。また、切欠部５１ｂは、上翼板５１における案内柱５３に対して左右一方側の前端部に形成されるため、上翼板５１の案内柱５３に対して左右他方側には、前部取付柱５８Ｆ及び後部取付柱５８Ｂを立設する領域が確保できる。さらに、左右一対のファスナーストリンガー１１Ｌ，１１Ｒに横引き力が加わった際には、切欠部５１ｂが形成される上翼板５１の案内柱５３に対して左右一方側は、切欠部５１ｂが形成されない上翼板５１の案内柱５３に対して左右他方側よりも撓み易くなる。したがって、小型で簡素な構造で操作性が良く、左右一対のファスナーストリンガー１１Ｌ，１１Ｒに横引き力が加わった際には一方のファスナーストリンガー１１Ｌをスライダー４０から容易に分離させることができ、且つ、スライダー４０に蝶棒１６及びエレメント３１を簡単に挿入することが可能となる。
【００３４】  なお、下翼板５２の前端部５２ａの左側は、図３に示すように、下翼板５２の前端部５２ａの右側と面一に形成されるか、または、図９に示すように、Ｔ１＞Ｔ２を満たすように、案内柱５３の前端部５３ｃよりも後方に形成される。
【００３５】  このような構成により、本実施形態のスライダー４０及びスライドファスナー１０によれば、蝶棒１６の挿入位置をさらに見やすくすることができる。したがって、スライダー４０に蝶棒１６及びエレメント３１をより簡単に挿入することが可能となる。
【００３６】  さらに、下翼板５２の前端部５２ａの左側は、案内柱５３の前端部５３ｃと前後方向（Ｆ−Ｂ方向）で同じ又はほぼ同じ位置でよい。すなわち、案内柱５３の前端部５３ｃから下翼板５２の前端部５２ａまでの距離Ｔ２＝０でもよい。さらに、下翼板５２の前端部５２ａは、上翼板５１の右側の前端部５１ａとも前後方向（Ｆ−Ｂ方向）で同じ又はほぼ同じ位置でよい。
【００３７】  このような構成により、本実施形態のスライダー４０及びスライドファスナー１０によれば、より小型で簡素な構造で操作性を良くすることが可能となる。
【００３８】  また、図８に示すように、案内柱５３の後端部５３ｄと胴体５０の左側の上側及び下側フランジ５４ａ，５４ｂの前端部５４ｃとの間の前後方向の距離Ｌ１が、案内柱５３の後端部５３ｄと胴体５０の右側の上側及び下側フランジ５４ａ，５４ｂの前端部５４ｃとの間の前後方向の距離Ｌ２より短くなる。また、案内柱５３の前端部５３ｃと左側の上側及び下側フランジ５４ａ，５４ｂの前端部５４ｃとの間の前後方向の距離Ｌ３は、案内柱５３の前端部５３ｃから上翼板５１の切欠部５１ｂまでの距離Ｔ１よりも長くなる。
【００３９】  また、図２及び図４に示すように、切欠部５１ｂは、案内柱５３の左側の後部側面５３ｂの中程から幅方向外方に延びるように形成される。さらに、胴体５０の左側の上側及び下側フランジ５４ａ，５４ｂの幅方向の内側面を、外側に向かうに従って次第に肉厚が大きくなる傾斜面５９ａ，５９ｂにそれぞれ形成している。
【００４０】  図３に示すように、上翼板５１の左側の上面には、挿入方向案内部５１ｄが形成される。挿入方向案内部５１ｄが形成されることによって、蝶棒１６をスライダー４０に挿入する際の方向を容易に確認することができる。本実施形態では、挿入方向案内部５１ｄは上面から突出するように形成される。挿入方向案内部５１ｄを上面から突出するように形成することで、製作時の他のスライダー４０との接着を防止することができる。また、本実施形態の挿入方向案内部５１ｄは、三角形に形成され、その頂点が後口側を向き、蝶棒１６の挿入方向を示しているが、丸や四角形などの形状でもよい。
【００４１】  また、図６に示すように、下翼板５２は、肩口５５を形成する部分に導入中央部５２ｂが、導入内側部５２ｃと導入外側部５２ｄの間に凹状に形成されている。すなわち、導入中央部５２ｂから案内柱５３側に向かって上り傾斜するように導入内側部５２ｃが形成され、導入中央部５２ｂから外側に向かって上り傾斜するように導入外側部５２ｄが形成されるため、導入中央部５２ｂはその両側の導入内側部５２ｃ及び導入外側部５２ｄよりも低い位置に形成される。そして、図７に示すように、前端部５２ａから導入中央部５２ｂ、導入内側部５２ｃ及び導入外側部５２ｄまでは、後方に向かうほど上方に徐々に傾斜した傾斜部５２ｈが形成される。なお、下翼板５２の案内柱５３よりも左側において、その前方の厚さは後方の厚さよりも薄く形成され、前端が最も薄く形成される。
【００４２】  したがって、本実施形態のスライダー４０によれば、蝶棒１６及びエレメント３１がエレメント案内路５７に案内され、蝶棒１６及びエレメント３１をより簡単に挿入することが可能となる。
【００４３】  さらに、図６及び図７に示すように、下翼板５２は、左右方向のうち上翼板５１に切欠部５１ｂが形成されている側の厚さが、左右方向のうち上翼板５１に切欠部５１ｂが形成されない側の厚さよりも薄く形成される。また、下翼板５２の下側面５２ｅの上下端部及び左側端部に下方に突出する突出部５２ｇが形成される。その結果、下翼板５２の、左右方向のうち上翼板５１に切欠部５１ｂが形成されている側の下側面５２ｅに凹部５２ｆが形成される。
【００４４】  また、本実施形態のスライダー４０によれば、下翼板５２の、左右方向のうち上翼板５１に切欠部５１ｂが形成されている側の厚さが、左右方向のうち上翼板５１に切欠部５１ｂが形成されない側の厚さよりも薄く形成されることにより、案内柱５３より幅方向一方側の下翼板５２をより撓み易くすることができる。したがって、一方のファスナーストリンガー１１Ｌをスライダー４０から分離させることが可能となる。
【００４５】  また、本実施形態のスライダー４０によれば、突出部５２ｇが形成されることにより、製作時の他のスライダー４０との接着を防止することが可能となる。さらに、突出部５２ｇを曲面で形成することにより、端部のエッジが形成されず、エッジに触れることを防止することが可能となる。
【００４６】  次に、このような本実施形態のスライダー４０を用いたスライドファスナー１０の作動について説明する。
【００４７】  次に、スライダー４０に蝶棒１６が挿入される状態について説明する。
【００４８】  図１１は、本実施形態にかかるスライダー４０に蝶棒１６が挿入される状態を示す。
【００４９】  スライダー４０に蝶棒１６が挿入される際、本実施形態のスライドファスナー１０では、蝶棒１６は、下翼板５２に案内されてエレメント案内路５７に挿入される。その際、蝶棒１６がスライダー４０の下翼板５２に当接すると、蝶棒１６は、エレメント案内路５７に円滑に挿入される。
【００５０】  スライダー４０の上翼板５１に切欠部５１ｂが形成されることで、切欠部５１ｂが形成されない場合と比較して、蝶棒１６をエレメント案内路５７へ挿入するための肩口５５が広がる。切欠部５１ｂが形成されない場合には、蝶棒１６を肩口５５に対して前側から後側へ正確に挿入する必要があったが、切欠部５１ｂが形成される場合には、前側だけでなく上側、左側から蝶棒１６を下翼板５２に載せるように操作することで、蝶棒１６を肩口５５に挿入することができる。また、切欠部５１ｂは、案内柱５３の左側の前部側面５３ａから外側に向かって、後側へ下り傾斜するように形成されているため、切欠部５１ｂの強度は保ちつつ肩口５５をできるだけ広く形成することができる。さらに、切欠部５１ｂは前部取付柱５８Ｆの前端よりも後方に形成されるため、スライダーが大型化することなく、スライダーとしての機能を保ったまま挿入補助機能を付加することができる。すなわち、蝶棒１６は、下翼板５２に案内されてエレメント案内路５７に円滑に挿入される。
【００５１】  また、下翼板５２は、肩口５５を形成する部分の導入中央部５２ｂが、導入内側部５２ｃと導入外側部５２ｄの間に凹状に形成され、蝶棒１６が自然に導入中央部５２ｂに寄っていき、蝶棒１６がさらに円滑にエレメント案内路５７に挿入される。
【００５２】  さらに、図２及び図４に示すように、胴体５０の左側の上側及び下側フランジ５４ａ，５４ｂの導入内側部を、導入内側部から外側に向かうに従って次第に肉厚が大きくなる傾斜面５９ａ，５９ｂにそれぞれ形成するので、蝶棒１６を内側に案内することができ、蝶棒１６がさらに円滑にエレメント案内路５７に挿入される。
【００５３】  また、図５に示した前部取付柱５８Ｆ及び後部取付柱５８Ｂと共に停止爪体７０も上翼板５１の案内柱５３より右側に配置されているので、蝶棒１６をエレメント案内路５７へ挿入するための肩口５５が広がる。すなわち、蝶棒１６は、下翼板５２に案内されてエレメント案内路５７に円滑に挿入される。また、上翼板５１の左側の上面に形成された挿入方向案内部５１ｄの視認性を向上させることができる。
【００５４】  次に、スライダー４０にエレメント３１が挿入される状態について説明する。
【００５５】  図１２は、本実施形態にかかるスライダー４０にエレメント３１が挿入される状態を示す。
【００５６】  スライダー４０にエレメント３１が挿入される際、本実施形態のスライドファスナー１０では、エレメント３１は、下翼板５２に案内されてエレメント案内路５７に挿入される。その際、エレメント３１がスライダー４０の下翼板５２に当接すると、エレメント３１は、自然に挿入される方向に向きを変え、エレメント案内路５７に円滑に挿入される。
【００５７】  スライダー４０の上翼板５１に切欠部５１ｂが形成されることで、切欠部５１ｂが形成されない場合と比較して、エレメント３１をエレメント案内路５７へ挿入するための肩口５５が広がる。すなわち、エレメント３１は、下翼板５２に案内されてエレメント案内路５７に円滑に挿入される。
【００５８】  また、下翼板５２は、肩口５５を形成する部分の導入中央部５２ｂが、導入内側部５２ｃと導入外側部５２ｄの間に凹状に形成され、エレメント３１が自然に導入中央部５２ｂに寄っていき、エレメント３１がさらに円滑にエレメント案内路５７に挿入される。
【００５９】  さらに、図２及び図４に示すように、胴体５０の左側の上側及び下側フランジ５４ａ，５４ｂの導入内側部を、導入内側部から外側に向かうに従って次第に肉厚が大きくなる傾斜面５９ａ，５９ｂにそれぞれ形成するので、エレメント３１を内側に案内することができ、エレメント３１がさらに円滑にエレメント案内路５７に挿入される。
【００６０】  また、図５に示した前部取付柱５８Ｆ及び後部取付柱５８Ｂと共に停止爪体７０も上翼板５１の案内柱５３より右側に配置されているので、エレメント３１をエレメント案内路５７へ挿入するための肩口５５が広がる。すなわち、エレメント３１は、下翼板５２に案内されてエレメント案内路５７に容易に挿入される。また、上翼板５１の左側の上面に形成された挿入方向案内部５１ｄの視認性を向上させることができる。
【００６１】  次に、分離側ファスナーストリンガー１１Ｌがスライダー４０から分離される状態について説明する。
【００６２】  図１３は、図８に示すスライドファスナー１０に横引き力が加わった状態を説明する拡大表面図を示す。図１４は、図１３に示す分離側ファスナーストリンガー１１Ｌのエレメント３１がスライダー４０から抜け出し始めた状態を説明する拡大表面図を示す。図１５は、図１４に示すエレメント３１がスライダー４０から更に抜け出した状態を説明する拡大表面図を示す。図１６は、図１５に示すエレメント３１がスライダー４０から完全に抜け出した状態を説明する拡大表面図を示す。図１７は、分離側ファスナーストリンガー１１Ｌのエレメント３１とスライダー４０のフランジ５４ａ，５４ｂとが接した状態を説明する部分断面図を示す。図１８は、分離側ファスナーストリンガー１１Ｌのエレメント３１がスライダー４０のフランジ５４ａ，５４ｂを押し広げている状態を説明する部分断面図を示す。図１９は、図１４に示すエレメント３１が上翼板５１及び下翼板５２を撓ませてスライダー４０から抜け出す状態を説明する部分断面図を示す。
【００６３】  図８に示すスライドファスナー１０に横引き力が加わると、図１３に示すように、左側のエレメント群３０のうち、上側及び下側フランジ５４ａ，５４ｂに当接していないエレメント３１が左側に引っ張られる。そして、図２及び図４に示すように、胴体５０の左側の上側及び下側フランジ５４ａ，５４ｂの導入内側部を、導入内側部から外側に向かうに従って次第に肉厚が大きくなる傾斜面５９ａ，５９ｂにそれぞれ形成するので、図１７に示すように、横引き力が加えられた分離側ファスナーストリンガー１１Ｌのファスナーエレメント３１の上下の角部が上側及び下側フランジ５４ａ，５４ｂの傾斜面５９ａ，５９ｂにそれぞれ当接する。すると、横引き力が傾斜面５９ａ，５９ｂを介して上翼板５１及び下翼板５２に効率よく伝達される。
【００６４】  これにより、図１８に示すように、スライドファスナー１０は、上側及び下側フランジ５４ａ，５４ｂ間の間隙が押し広げられる。その後、左右一対のファスナーストリンガー１１Ｌ，１１Ｒに導入外側部に向かう横引き力がさらに加えられることにより、分離側ファスナーストリンガー１１Ｌのエレメント案内路５７内の最も肩口５５側に位置し噛合していない第１ファスナーエレメント３１ａ（ファスナーエレメント３１）が、図１４及び図１９に示すように、上翼板５１及び下翼板５２の案内柱５３より左側の部分を撓ませて、スライダー４０から抜け出す。
【００６５】  次に、第１ファスナーエレメント３１ａに続いて、図１５に示すように、第２及び第３ファスナーエレメント３１ｂ，３１ｃも、第１ファスナーエレメント３１ａと同様にしてスライダー４０から順次抜け出し、図１６に示すように、分離側ファスナーストリンガー１１Ｌがスライダー４０から分離される。
【００６６】  このように、本実施形態のスライダー４０は、胴体５０の左側の上側及び下側フランジ５４ａ，５４ｂの前後方向長さが、胴体５０の右側の上側及び下側フランジ５４ａ，５４ｂより短くなるので、案内柱５３より左側の上翼板５１及び下翼板５２の剛性が僅かに低減され、撓み易くなっている。これにより、左側の上翼板５１及び下翼板５２を容易に撓ませることが可能になるので、分離側ファスナーストリンガー１１Ｌをスライダー４０から容易に分離させることができる。
【００６７】  また、本実施形態のスライドファスナー１０によれば、上翼板５１に、案内柱５３の左側の前部側面５３ａから導入外側部に向かって延びる切欠部５１ｂが形成されるため、案内柱５３より左側の上翼板５１を撓み易くすることができる。これにより、簡素な構造で、分離側ファスナーストリンガー１１Ｌをスライダー４０から容易に分離させることができる。
【００６８】  さらに、図６及び図７に示すように、下翼板５２は、左右方向のうち上翼板５１に切欠部５１ｂが形成されている側の厚さが、左右方向のうち上翼板５１に切欠部５１ｂが形成されない側の厚さよりも薄く形成されることにより、案内柱５３より幅方向一方側の下翼板５２が撓みやすくなることで、エレメント３１が上側及び下側フランジ５４ａ，５４ｂの間から抜けやすくなる。
【００６９】  また、下翼板５２の下側面５２ｅの上下端部及び左側端部に下方に突出する突出部５２ｇが形成される。したがって、下翼板５２を薄く形成しても強度を保持することができる。さらに、突出部５２ｇが形成されることで、製作時の他のスライダー４０との接着を防止することができる。
【００７０】  以上、本実施形態のスライダー４０は、上下方向に離間して平行配置される上翼板５１及び下翼板５２と、上翼板５１及び下翼板５２を連結する案内柱５３と、上翼板５１の上面に設けられる引手取付部５８Ｆ，５８Ｒ，７０，８０と、を有する胴体５０と、引手取付部に対して取り付けられる引手６０と、を備え、上翼板５１における案内柱５３に対して左右一方側の前端部には、上翼板５１の左右他方側の前端部５１ａ及び下翼板５２の前端部５２ａよりも後方に位置する切欠部５１ｂが形成される。したがって、本実施形態のスライダー４０によれば、蝶棒１６の挿入位置を見やすくすることができ、且つ、下翼板５２が蝶棒１６及びエレメント３１を案内することができる。これにより、本実施形態にかかるスライダー４０は、小型で簡素な構造で操作性が良く、スライダー４０に蝶棒１６及びエレメント３１を簡単に挿入することが可能となる。
【００７１】  また、本実施形態のスライダー４０では、案内柱５３の前端部５３ｃから上翼板５１の切欠部５１ｂまでの距離Ｔ１は、案内柱５３の前端部５３ｃから下翼板５２の前端部５２ａまでの距離Ｔ２よりも長い。したがって、本実施形態のスライダー４０によれば、蝶棒１６の挿入位置をさらに見やすくすることができ、スライダー４０に蝶棒１６及びエレメント３１をより簡単に挿入することが可能となる。
【００７２】  また、本実施形態のスライダー４０では、案内柱５３の前端部５３ｃから下翼板５２の前端部５２ａまでの距離Ｔ２は、０である。したがって、本実施形態のスライダー４０によれば、より小型で簡素な構造で操作性を良くすることが可能となる。
【００７３】  また、本実施形態のスライダー４０では、切欠部５１ｂは、案内柱５３の一方の側面５３ａから外側に向かって形成される。したがって、本実施形態のスライダー４０によれば、簡単に作製することが可能となる。
【００７４】  また、本実施形態のスライダー４０は、切欠部５１ｂが形成された側の下翼板５２の上面には、前端部５２ａから後方に向かうほど上方に傾斜した傾斜部５２ｈが形成される。したがって、本実施形態のスライダー４０によれば、蝶棒１６及びエレメント３１がエレメント案内路５７に案内され、蝶棒１６及びエレメント３１をより簡単に挿入することが可能となる。
【００７５】  また、本実施形態のスライダー４０は、切欠部５１ｂが形成された側の下翼板５２の前端部５２ａ側の上面には、案内柱５３側に向かうほど上方に傾斜した導入内側部５２ｃと、外側に向かうほど上方に傾斜した導入外側部５２ｄと、導入内側部５２ｃと導入外側部５２ｄの間に凹状に形成されている導入中央部５２ｂと、が形成される。したがって、本実施形態のスライダー４０によれば、蝶棒１６及びエレメント３１がエレメント案内路５７に案内され、蝶棒１６及びエレメント３１をより簡単に挿入することが可能となる。
【００７６】  また、本実施形態のスライダー４０では、下翼板５２は、左右方向のうち上翼板５１に切欠部５１ｂが形成されている側の厚さが、左右方向のうち上翼板５１に切欠部５１ｂが形成されない側の厚さよりも薄く形成される。したがって、案内柱５３より幅方向一方側の下翼板５２をより撓み易くすることができる。したがって、一方のファスナーストリンガー１１Ｌをスライダー４０からより容易に分離させることが可能となる。
【００７７】  以上、本実施形態のスライドファスナー１０は、一対のファスナーテープ２０及び一対のファスナーテープ２０のそれぞれのテープ側縁部２０ａに固定された複数のエレメント３１からなるエレメント列３０を有する一対のファスナーストリンガー１１Ｌ，１１Ｒを、エレメント列３０が対向するように配置したファスナーチェーン１１と、エレメント列３０に沿って摺動可能に取り付けられ、エレメント３１を噛合及び分離させる前記スライダー４０と、を備える。したがって、本実施形態のスライドファスナー１０によれば、蝶棒１６の挿入位置が見やすく、且つ、下翼板５２が蝶棒１６及びエレメント３１を案内するスライダー４０を有するので、小型で簡素な構造で操作性が良いスライダー４０に蝶棒１６及びエレメント３１を簡単に挿入することが可能となる。
【００７８】  また、本実施形態のスライドファスナー１０は、一対のファスナーテープ２０のテープ側縁部２０ａの上端部にそれぞれ形成される上止部１２と、一対のファスナーテープ２０のテープ側縁部２０ａの下端部に形成される開き具１３と、を備える。したがって、本実施形態のスライドファスナー１０によれば、様々な商品に適用することが可能となる。
【００７９】  なお、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【００８０】１０…スライドファスナー１１Ｌ，１１Ｒ…ファスナーストリンガー１２…上止部１３…開き具１４…箱棒１５…箱体１６…蝶棒２０…ファスナーテープ２０ａ…テープ側縁部３０…エレメント列３１…ファスナーエレメント４０…スライダー５０…胴体５１…上翼板５１ａ…前端部５１ｂ…切欠部５１ｄ…挿入方向案内部５２…下翼板５２ａ…前端部５２ｂ…導入中央部５２ｃ…導入内側部５２ｄ…導入外側部５２ｅ…下側面５２ｆ…凹部５２ｇ…突出部５３…案内柱５３ａ…前部側面５３ｂ…後部側面５３ｃ…前端部５４ａ…上側フランジ５４ｂ…下側フランジ５５…肩口５６…後口５７…案内路５８Ｆ…前部取付柱５８Ｂ…後部取付柱５９ａ，５９ｂ…傾斜面６０…引手６１…リンク部７０…停止爪体７１…停止爪８０…引手保持カバー
【図１】
0006692441.tif 000002
【図２】
0006692441.tif 000003
【図３】
0006692441.tif 000004
【図４】
0006692441.tif 000005
【図５】
0006692441.tif 000006
【図６】
0006692441.tif 000007
【図７】
0006692441.tif 000008
【図８】
0006692441.tif 000009
【図９】
0006692441.tif 000010
【図１０】
0006692441.tif 000011
【図１１】
0006692441.tif 000012
【図１２】
0006692441.tif 000013
【図１３】
0006692441.tif 000014
【図１４】
0006692441.tif 000015
【図１５】
0006692441.tif 000016
【図１６】
0006692441.tif 000017
【図１７】
0006692441.tif 000018
【図１８】
0006692441.tif 000019
【図１９】
0006692441.tif 000020